(57)【要約】【課題】入力デバイスを共用するコンピュータの台数が増えても、表示部の表示画面で入力デバイスの接続切替作業を行うことができ、作業効率の低下を防止できるコンピュータシステムを提供すること。【解決手段】入力デバイスをそれぞれ表示部を有する複数のコンピュータで共用するように構成されたコンピュータシステムにおいて、  前記各表示部上の所定の位置に前記入力デバイスが切替接続される前記各コンピュータがあらかじめ割り付けられていて、前記入力デバイスの操作に応じてカーソルが前記各表示部上の所定の位置に移動することにより、前記入力デバイスがあらかじめ設定された所定のコンピュータに接続されることを特徴とするもの。【選択図】                    図１
2011221884.tif 000002
【特許請求の範囲】
【請求項１】
入力デバイスをそれぞれ表示部を有する複数のコンピュータで共用するように構成されたコンピュータシステムにおいて、
前記各表示部上の所定の位置に前記入力デバイスが切替接続される前記各コンピュータがあらかじめ割り付けられていて、
前記入力デバイスの操作に応じてカーソルが前記各表示部上の所定の位置に移動することにより、
前記入力デバイスがあらかじめ設定された所定のコンピュータに接続されることを特徴とするコンピュータシステム。
【請求項２】
前記各コンピュータがあらかじめ割り付けられている前記各表示部上の所定の位置は、前記各表示部における表示部の配列方向に沿った表示画面領域の端部であることを特徴とする請求項１に記載のコンピュータシステム。
【請求項３】
前記各コンピュータがあらかじめ割り付けられている前記各表示部上の所定の位置は、前記各表示部の表示画面領域に表示される前記各コンピュータに対応したアイコンであることを特徴とする請求項１に記載のコンピュータシステム。
【請求項４】
前記入力デバイスと前記各コンピュータは、無線回線を介して接続されることを特徴とする請求項１から請求項３のいずれかに記載のコンピュータシステム。
【発明の詳細な説明】
【技術分野】
【０００１】
本発明は、コンピュータシステムに関し、詳しくは、キーボードやマウスなどの入力デバイスを複数のコンピュータで共用するように構成されたコンピュータシステムの改良に関するものである。
【０００２】
近年のプロセス制御システムの運転管理にあたっては、プラントを構築している伝送器や制御弁などのフィールド機器やこれらフィールド機器との間で各種の信号を授受しながら所定の製品を製造するための制御動作を実行する調節計などが所定どおりに動作するように必要に応じてそれらを直接操作する製造プラント系システムの運転管理はもちろんのこと、情報系システムにアクセスして製品の安全性や品質管理や製造に伴う省エネルギーや効率化などの各種管理データもリアルタイムで参照しながら、全社的な視点からの最適なプラント運転が期待されつつある。
【０００３】
そこで、プラント運転管理を行う操作卓に、製造プラント系システムに接続され必要に応じて製造プラント系の各部に直接アクセスするための表示画面を表示する表示部を備えたコンピュータと、情報系システムに接続されリアルタイムで各種の管理データを参照するための表示部を備えたコンピュータを設けることが検討されている。
【０００４】
このような操作卓でプラント運転管理を行う作業者は、操作卓に設けられているこれらコンピュータの各表示部の表示画面の表示に基づき、必要な管理データを把握確認するとともに、キーボードやマウスなどの入力デバイスを介して製造プラント系システムの各部を直接操作することになる。
【０００５】
このとき、それぞれのコンピュータにそれぞれ専用の入力デバイスを設けておき、必要に応じて所定の入力デバイスを操作することが一般的ではあるが、同時に複数の入力デバイスを操作する可能性はきわめて低いにもかかわらず、それぞれのコンピュータにそれぞれ専用の入力デバイスを設けてそれらを操作するためのスペースを確保しなければならない。
【０００６】
そこで、たとえば特許文献１に開示されているように、コンピュータ切替器を用いて１組の入力デバイスを複数のコンピュータで共用することが提案されている。
【０００７】
図９は、入力デバイス切替器を用いて１組の入力デバイスを複数のコンピュータで共用するように構成された従来のコンピュータシステムの一例を示す接続図である。図９において、２台のコンピュータ（以下パソコンという）１Ａ，１Ｂが設けられていて、一方のパソコン１ＡはＡ系統としてたとえば図示しない製造プラント系に接続され、他方のパソコン１ＢはＢ系統としてたとえば図示しない情報系システムに接続されている。
【０００８】
パソコン１Ａにはたとえば液晶表示部よりなる表示部２Ａが接続され、パソコン１Ｂにはたとえば液晶表示部よりなる表示部２Ｂが接続されている。
【０００９】
そして、これらパソコン１Ａ，１Ｂには、切替器３を介して、キーボード４とマウス５が１組の入力デバイスとして接続されている。
【００１０】
このような構成において、キーボード４とマウス５は、切替器３の切替操作部３１をＡ系統側に切り替えることによりＡ系統のパソコン１Ａに接続され、切替器３の切替操作部３１をＢ系統側に切り替えることによりＢ系統のパソコン１Ｂに接続されることになり、キーボード４とマウス５よりなる１組の入力デバイスを、パソコン１Ａ，１Ｂで共用することができる。
【００１１】
たとえばＡ系統とＢ系統とを交互に切り替えて、表示部２Ｂに表示される必要な管理データを把握確認しながら表示部２Ａに表示される製造プラント系システムを直接操作するような場合、作業者は、「表示部２Ａ→切替操作部３１の切替操作→表示部２Ｂ→切替操作部３１の切替操作→表示部２Ａ」の動作を繰り返すことになる。
【先行技術文献】
【特許文献】
【００１２】
【特許文献１】特開２００１−２１６２５１号
【発明の概要】
【発明が解決しようとする課題】
【００１３】
しかし、このような構成によれば、作業者は表示部２Ａ、２Ｂを監視しながらも切替器３の切替操作部３１を操作して入力デバイスとコンピュータとの接続を切り替えることを常に意識していなければならず、特に入力デバイスを共用するコンピュータの台数が３台以上になると切替先のコンピュータを確認しなければならないことから、作業効率の低下は避けられない。
【００１４】
本発明は、このような従来の問題点に着目したものであり、その目的は、入力デバイスを共用するコンピュータの台数が増えても、表示部の表示画面で入力デバイスの接続切替作業を行うことができ、作業効率の低下を防止できるコンピュータシステムを提供することにある。
【課題を解決するための手段】
【００１５】
このような課題を達成する請求項１の発明は、
入力デバイスをそれぞれ表示部を有する複数のコンピュータで共用するように構成されたコンピュータシステムにおいて、
前記各表示部上の所定の位置に前記入力デバイスが切替接続される前記各コンピュータがあらかじめ割り付けられていて、
前記入力デバイスの操作に応じてカーソルが前記各表示部上の所定の位置に移動することにより、
前記入力デバイスがあらかじめ設定された所定のコンピュータに接続されることを特徴とする。
【００１６】
請求項２の発明は、請求項１に記載のコンピュータシステムにおいて、
前記各コンピュータがあらかじめ割り付けられている前記各表示部上の所定の位置は、前記各表示部における表示部の配列方向に沿った表示画面領域の端部であることを特徴とする。
【００１７】
請求項３の発明は、請求項１に記載のコンピュータシステムにおいて、
前記各コンピュータがあらかじめ割り付けられている前記各表示部上の所定の位置は、前記各表示部の表示画面領域に表示される前記各コンピュータに対応したアイコンであることを特徴とする。
【００１８】
請求項４の発明は、請求項１から請求項３のいずれかに記載のコンピュータシステムにおいて、
前記入力デバイスと前記各コンピュータは、無線回線を介して接続されることを特徴とする。
【発明の効果】
【００１９】
これらにより、作業者が表示部の表示画面上でカーソルを所定の位置に移動させることにより、入力デバイスを所定のコンピュータに切替接続でき、作業効率の低下を防止できる。
【図面の簡単な説明】
【００２０】
【図１】本発明の一実施例を示す構成説明図である。
【図２】表示部の配置パターン例図である。
【図３】図１のカーソル座標検出部６４における画面座標生成説明図である。
【図４】本発明の他の実施例を示す構成説明図である。
【図５】図４の入力デバイス切り替え装置７の具体例を示す外観上面図である。
【図６】図４の構成における動作の流れを説明するフローチャートである。
【図７】本発明の他の実施例を示す構成説明図である。
【図８】本発明の他の実施例を示す構成説明図である。
【図９】従来のコンピュータシステムの一例を示す接続図である。
【発明を実施するための最良の形態】
【００２１】
以下、本発明について、図面を用いて説明する。図１は本発明の一実施例を示す構成説明図であり、図９と共通する部分には同一の符号を付けている。図１と図９の相違点は、作業者が直接切替操作する従来のコンピュータ切替器に代えて切替インタフェースを設けていることと、表示部の表示画面上にあらかじめ設定されている所定の位置にカーソルを移動させて切り替えることである。
【００２２】
図１において、コンピュータシステムは、複数Ｎ台のパソコン１Ａ〜１Ｎで構築されている。各パソコン１Ａ〜１Ｎには、それぞれ無線通信部１１Ａ〜１１Ｎと解像度出力部１２Ａ〜１２Ｎとカーソル座標出力部１３Ａ〜１３Ｎが設けられるとともに、それぞれに対応した表示部２Ａ〜２Ｎを備えている。
【００２３】
切替インタフェース６は、バスＢを介して、パソコン無線通信部６１と入力デバイス無線通信部６２と表示部解像度確認部６３とカーソル座標検出部６４と表示部配置設定部６５とパソコン接続切替部６６と制御部６７が相互に接続されている。
【００２４】
１組の入力デバイスを構成するキーボード４およびマウス５には、それぞれ無線通信部４１および５１が設けられている。
【００２５】
このような構成において、各パソコン１Ａ〜１Ｎの無線通信部１１Ａ〜１１Ｎは切替インタフェース６のパソコン無線通信部６１との間で無線通信を行い、入力デバイスを構成するキーボード４およびマウス５の無線通信部４１および５１は切替インタフェース６の入力デバイス無線通信部６２との間で無線通信を行いながら、以下に説明するような入力デバイスの切替接続処理を実行する。
【００２６】
表示部解像度確認部６３は、電源投入時点でキーボード４およびマウス５と接続されているいずれかの表示部２の解像度出力部１２から出力されている解像度情報を確認し、その情報をカーソル座標検出部６４に出力する。
【００２７】
表示部配置設定部６５は、操作卓における各パソコン１Ａ〜１Ｎの表示部２Ａ〜２Ｎの配列実装状態に対応した図２に示すような配置パターンを選択設定する。図２において、（Ａ）は２台の表示部２Ａ、２Ｂを横置きした例を示し、（Ｂ）は２台の表示部２Ａ、２Ｂを縦置きした例を示している。
【００２８】
この表示部配置情報は、カーソルが各表示部２Ａ、２Ｂの表示画面領域の端部に移動したことに基づき、パソコン接続切替部６６によりキーボード４およびマウス５とパソコン１Ａ、１Ｂとの接続を切り替えるときの「配列方向」情報として機能する。
【００２９】
図３は、カーソル座標検出部６４における画面座標生成説明図である。
たとえば、各表示部２Ａ、２Ｂの画素数を１６００×１２００（横×縦）とすると、画面座標の範囲は、ｘ軸：０〜１５５９、ｙ軸：０〜１１９９になる。なお、図中には、カーソルの位置座標の変化を説明するためにマウスカーソルを記載している。
【００３０】
ここで、パソコン１Ａ起動時の表示部２ＡにおけるマウスカーソルＣＡの位置座標を（ｘａ１：８００，ｙａ１：６００）とし、パソコン１Ｂ起動時の表示部２ＢにおけるマウスカーソルＣＢの位置座標を（ｘｂ１：８００，ｙｂ１：６００）とする。
【００３１】
表示部解像度確認部６３は、パソコン１Ａおよびパソコン１Ｂの画面解像度が変更されていないかを確認し、もし変更されていたら変更後の画面解像度情報をカーソル座標検出部６４に出力する。
【００３２】
表示部２Ｂに表示されているマウスカーソルＣＢ１を表示部２Ａに移動させる場合は、マウスカーソルＣＢを、現在の位置座標（ｘｂ１：８００，ｙｂ１：６００）から軌跡Ｔを経て表示領域左端の位置座標（ｘｂ２：０，ｙｂ２：６００）に移動させる。このマウスカーソルＣＢ１の位置座標の変化は、リアルタイムにパソコン１Ｂのカーソル座標出力部１３Ｂからカーソル座標検出部６４に出力される。
【００３３】
そして、パソコン接続切替部６６は、以下に説明する切替判断条件にしたがって、マウスカーソルＣＢを表示部２Ｂから表示部２Ａに移動させるとともに、キーボード４およびマウス５とパソコン１Ｂとの接続をパソコン１Ａとの接続に切り替える。なお、以下の説明では、２台の表示部２Ａ、２Ｂは表示部２Ａが左側で表示部２Ｂが右側に横置きされているものとする。
【００３４】
その１＜パソコン１ＢのマウスカーソルＣＢが有効な場合＞
１）マウスカーソルＣＢの位置座標が表示領域左端（ｘｂ２：０（ｘ座標の最小値），ｙｂ２：任意のｙ座標）であること
２）マウスカーソルＣＢの位置座標が表示領域左端に達する一つ前の位置座標が（ｘｂ２’：ｘｂ２＋１＝１（ｘｂ２’＞ｘ２ｂ），ｙｂ２’：任意のｙ座標）であること
【００３５】
その２＜パソコン１ＡのマウスカーソルＣＡが有効な場合＞
１）マウスカーソルＣＡの位置座標が表示領域右端（ｘａ２：１５５９（ｘ座標の最大値），ｙａ２：任意のｙ座標）
であること
２）マウスカーソルＣＡの位置座標が表示領域右端に達する一つ前の位置座標が（ｘａ２’：ｘａ２−１＝１５５８（ｘａ２’＜ｘａ２），ｙａ２’：任意のｙ座標）であること
【００３６】
これら２つの切替判断条件１）と２）を満たすことにより、キーボード４およびマウス５とパソコン１Ａおよびパソコン１Ｂとの接続関係が切り替わるとともに、その１の場合にはマウスカーソルＣＢの操作権限はパソコン１Ｂからパソコン１Ａに切り替わり、その２の場合にはマウスカーソルＣＡの操作権限はパソコン１Ａからパソコン１Ｂに切り替わる。
【００３７】
なお、切替判断条件２）は、切替判断の安全性を高めるための追加条件といえるものであり、システムが安定している場合には切替判断条件１）のみにして省略してもよい。
【００３８】
これら接続切り替え後のアクティブなマウスカーソルの位置座標は、マウスカーソルの操作権限がパソコン１Ｂから１Ａに移った「その１」の場合には、
ｘ座標：１５５９（ｘ座標の最大値）
ｙ座標：パソコン１ＢのマウスカーソルＣＢのｙ座標をそのまま引き継ぐ
ことになり、マウスカーソルの操作権限がパソコン１Ａから１Ｂに移った「その２」の場合には、
ｘ座標：０（ｘ座標の最小値）
ｙ座標：パソコン１ＡのマウスカーソルＣＡのｙ座標をそのまま引き継ぐ
ことになる。
【００３９】
また、パソコン１Ａ起動時のマウスカーソルＣＡの位置座標が（８００，６００）の状態において、表示部２ＢのマウスカーソルＣＢが表示部２Ａに移動すると、この表示部２Ｂから移動したマウスカーソルＣＢが表示部２Ａの新しいマウスカーソルＣＡとして表示領域の右端に表示されることになる。そこで、パソコン接続切替部６６は、パソコン１Ａに新しいマウスカーソルＣＡの位置座標（１５５９，６００）を送信する。
【００４０】
パソコン１Ａは、パソコン接続切替部６６から送信された新しいマウスカーソル座標の受信の有無を確認し、新しいマウスカーソル座標を受信することにより表示部２Ａの所定の位置座標（１５５９，６００）にマウスカーソルＣＡを表示させる。
【００４１】
なお、図１の例では、入力デバイスと切替インタフェースと各パソコンが無線回線を介して接続される構成を示しているが、図４に示すようにコンピュータシステムを構成する各部間を信号線で接続することもできる。
【００４２】
図４において、パソコン１Ａおよびパソコン１Ｂには、各々表示部２Ａと表示部２Ｂがビデオ信号ケーブルを介して接続されている。
【００４３】
１組の入力デバイスを構成するキーボード４とマウス５は、それぞれケーブルを介して入力デバイス切替装置７のコネクタＫＢＣ、ＭＣに接続されている。
【００４４】
入力デバイス切替装置７には、１組の入力デバイスを構成するキーボード４とマウス５をパソコン１Ａおよびパソコン１Ｂに切替接続するとともに、パソコン１Ａおよびパソコン１Ｂとの間で各種信号を授受するための２系統のコネクタＫＢＡ、ＭＡ、ＣＴＡとＫＢＢ、ＭＢ、ＣＴＢが設けられている。
【００４５】
すなわち、コネクタＫＢＡ、ＭＡ、ＣＴＡはそれぞれケーブルを介してパソコン１Ａのキーボードコネクタ、マウスコネクタおよび制御コネクタに接続され、コネクタＫＢＢ、ＭＢ、ＣＴＢはそれぞれケーブルを介してパソコン１Ｂのキーボードコネクタ、マウスコネクタおよび制御コネクタに接続されている。
【００４６】
ここで、コネクタＣＴＡとパソコン１Ａの制御コネクタ間ではパソコン１Ａが保持している表示部２Ａの画面解像度の情報やマウスカーソルの位置情報を入力デバイス切替装置７に伝えたり、入力デバイス切替装置７からパソコン１Ａに切り替え情報やマウスカーソルの位置情報を伝えるための信号授受が行われ、コネクタＣＴＢとパソコン１Ｂの制御コネクタ間ではパソコン１Ｂが保持している表示部２Ｂの画面解像度の情報やマウスカーソルの位置情報を入力デバイス切替装置７に伝えたり、入力デバイス切替装置７からパソコン１Ｂに切り替え情報やマウスカーソルの位置情報を伝えるための信号授受が行われる。
【００４７】
また、パソコン１Ａおよびパソコン１Ｂには、入力デバイス切替装置７と各種情報をやり取りして処理するためのソフトウェアＳＡ、ＳＢがそれぞれインストールされている。
【００４８】
入力デバイス切替装置７には、入力デバイス切替装置７に接続されている１組の入力デバイスを構成するキーボード４およびマウス５の物理的な接続先を切り替えるための切替スイッチＳＷＫおよびＳＷＭが設けられている。
【００４９】
切替スイッチＳＷＫの一方の固定接点ＡはコネクタＫＢＡに接続され、他方の固定接点ＢはコネクタＫＢＢに接続され、可動接点ＣにはコネクタＫＢＣを介してキーボード４が接続されている。切替スイッチＳＷＭの一方の固定接点ＡはコネクタＭＡに接続され、他方の固定接点ＢはコネクタＭＢに接続され、可動接点ＣにはコネクタＭＣを介してマウス５が接続されている。これら切替スイッチＳＷＫおよびＳＷＭは、制御回路７１から出力される駆動制御信号に基づき連動して切り替え駆動される。
【００５０】
制御回路７１は、入力デバイス切替装置７の動作を制御する部分であり、外部装置との間で授受する各種入出力情報を処理したり、内部での処理情報を記憶するために記憶領域７２を備えている。
【００５１】
表示部配置設定回路７３は、パソコン１Ａおよびパソコン１Ｂに接続されている表示部２Ａおよび表示部２Ｂの配置を、前述の図２に示すように横置きまたは縦置きに設定するための機能を有している。
【００５２】
図５は、図４のように構成された入力デバイス切り替え装置７の具体例を示す外観上面図である。図５において、入力デバイス切り替え装置７には、キーボード４を接続するためのコネクタＫＢＣ、マウス５を接続するためのコネクタＭＣ、パソコン１Ａと接続するためのコネクタＫＢＡ、ＭＡ、ＣＴＡ、パソコン１Ｂと接続するためのコネクタＫＢＢ、ＭＢ、ＣＴＢの他、制御卓に実装されている表示部２Ａおよび表示部２Ｂの配置状態に合わせて、前述の図２に示すように横置きまたは縦置きの表示部配置設定情報を制御回路７１に出力するためのメカニカルスイッチで構成された表示部配置切替ボタン７４〜７７が設けられている。
【００５３】
図６は図４の構成における動作の流れを説明するフローチャートであって、（Ａ）は入力デバイス切替装置７の動作の流れを示し、（Ｂ）はパソコン１の動作の流れを示している。
【００５４】
入力デバイス切替装置７の電源がオンになると（ステップＳ１）、切替スイッチＳＷＫおよびＳＷＭの可動接点Ｃが接触している固定接点ＡまたはＢの切替設定情報が制御回路７１に読み込まれるとともに（ステップＳ２）、表示部配置設定回路７３で設定される表示部の配置情報も制御回路７１に読み込まれる（ステップＳ３）。
【００５５】
一方、パソコン１Ａまたはパソコン１Ｂの電源がオンになると（ステップＳ４）、パソコン１Ａおよびパソコン１Ｂに設定されている画面解像度の情報が入力デバイス切替装置７に送信されるとともに（ステップＳ５）、パソコン１Ａまたはパソコン１Ｂがそれぞれ保持しているマウスカーソルの位置情報が入力デバイス切替装置７に送信される（ステップＳ６）。入力デバイス切替装置７は、これらパソコン１Ａまたはパソコン１Ｂから受信した情報を記憶領域７２に格納保管する。
【００５６】
パソコン１Ａまたはパソコン１Ｂは、画面解像度が変更されていないかを確認し（ステップＳ７）、もし変更されていたら変更後の画面解像度情報を入力デバイス切替装置７に送信する（ステップＳ８）。
【００５７】
また、パソコン１Ａまたはパソコン１Ｂは、マウスカーソルの位置座標が変更されていないかを確認し（ステップＳ９）、もし変更されたらリアルタイムに変更された位置座標情報を入力デバイス切替装置７に送信する（ステップＳ１０）。
【００５８】
入力デバイス切替装置７は、パソコン１Ａまたはパソコン１Ｂの画面解像度が変更されていないかを確認し（ステップＳ１１）、もし変更されていたら変更後の画面解像度情報をパソコン１Ａまたはパソコン１Ｂから受信する（ステップＳ１２）。
【００５９】
さらに入力デバイス切替装置７は、パソコン１Ａまたはパソコン１Ｂからマウスカーソルの新しい位置座標情報を受信していないかを確認し（ステップＳ１３）、もし新しい位置座標情報を受信していたらマウスカーソルの新しい位置座標を演算する（ステップＳ１４）。
【００６０】
そして、新しい位置座標の演算結果が前述のような入力デバイスの切替判断条件を満たしているかを確認し（ステップＳ１５）、切替判断条件を満たしている場合には切替スイッチＳＷＫおよびＳＷＭの可動接点Ｃを切り替えて入力デバイスの接続先を所定のパソコン１Ａまたはパソコン１Ｂに切り替えるとともに（ステップＳ１６）、切り替わったパソコン１Ａまたはパソコン１Ｂにマウスカーソルの位置座標情報を送信する（ステップＳ１７）。
【００６１】
パソコン１Ａまたはパソコン１Ｂは入力デバイス切替装置７から新しいマウスカーソル座標情報を受信したかを確認し（ステップＳ１８）、新しいマウスカーソル座標情報を受信したら表示部２Ａまたは表示部２Ｂのその位置座標にマウスカーソルを表示させる（ステップＳ１９）。
【００６２】
これにより、たとえば２台の表示部２Ａおよび表示部２Ｂが横に並べて配置されている条件下において、マウスカーソルが隣接する表示部２Ａおよび表示部２Ｂの配列方向に沿った表示画面領域の端部に移動することにより、入力デバイスの接続先が自動的に切り替わる。したがって、作業者は従来の構成のように入力デバイスの切り替えを意識することなくパソコンの操作に集中することができ、効率よく一連の作業を実行できる。
【００６３】
図７は入力デバイス切り替え装置７の他の具体例を示す外観上面図であり、図５のメカニカルスイッチで構成された表示部配置切替ボタン７４〜７７に代えて、タッチパネル７８を設けたものである。
【００６４】
図７において、タッチパネル７８には、コンピュータシステムを構成する表示部のアイコン（たとえば２Ａ、２Ｂ）が表示されている。これら表示部のアイコン２Ａ、２Ｂをたとえば指でドラッグして移動させることにより、操作卓における各パソコン１Ａ〜１Ｎの表示部２Ａ〜２Ｎの配列実装状態に対応した横置きあるいは縦置きの配置パターンを設定できる。
【００６５】
図７のようにタッチパネル７８にすることにより、コンピュータシステムを構成するパソコンの台数が増減した場合でも、容易に変更対処できる。
【００６６】
なお、上記実施例では、各表示部２Ａ、２Ｂの画面解像度が同じ値の場合について説明したが、異なる画面解像度の表示部を組み合わせた場合でも、画像座標マップを生成する過程で表示部間におけるマウスカーソルの表示座標を決めておくことで、異なる画面解像度を有する表示部間をマウスカーソルが移動しても視覚的には違和感のない表示画面が実現できる。
【００６７】
また、上記実施例では表示部２Ａ、２Ｂを横置きにした例を説明したが、表示部２Ａ、２Ｂを縦置きにした場合にはマウスカーソルを表示領域の縦方向の端部に移動させることにより隣接する表示部に移動させることができ、縦置きにした場合についても同様な動作が得られる。
【００６８】
また、上記各実施例では、マウスカーソルを表示領域の縦方向の端部に移動させることにより隣接する表示部に移動させているが、図８に示すように各表示部２Ａ〜２Ｄの表示画面にコンピュータシステムを構成する各表示部のアイコンＡ〜Ｄを表示させて現在入力デバイスが接続されているパソコンの表示部のアイコン（図８の例ではＣ）をアクティブ表示させ、入力デバイスを切替接続したいパソコンの表示部のアイコンをクリックすることにより入力デバイスとパソコンの接続が切り替わるようにしてもよい。
【００６９】
また、切替スイッチＳＷＫ、ＳＷＭや表示部配置切替ボタン７４〜７７は、メカニカルスイッチに限るものではなく、半導体スイッチを用いてもよい。
【００７０】
さらに、上記各実施例では、製造プラント系システムのコンピュータと情報系システムのコンピュータで入力デバイスを共用する例について説明したが、これらのシステムの組み合わせに限るものではなく、特定の分野にかかわらず同時に複数のパソコンを用いるのにあたって入力デバイスを共用したい場合に有効である。
【００７１】
以上説明したように、本発明によれば、入力デバイスを共用するコンピュータの台数が増えても、表示部の表示画面で入力デバイスの接続切替作業を行うことができ、作業効率の低下を防止できるコンピュータシステムを実現できる。
【符号の説明】
【００７２】
１  コンピュータ（パソコン）
１１  無線通信部
１２  解像度出力部
１３  カーソル座標出力部
２  表示部
４  キーボード
４１  無線通信部
５  マウス
５１  無線通信部
６  切替インタフェース
６１  パソコン無線通信部
６２  入力デバイス無線通信部
６３  表示部解像度確認部
６４  カーソル座標検出部
６５  表示部配置設定部
６６  パソコン接続切替部
６７  制御部
７  入力デバイス切替装置
７１  制御回路
７２  記憶領域
７３  表示部配置設定回路
７４〜７７  表示部配置切替ボタン
７８  タッチパネル
ＳＷＫ、ＳＷＭ  切替スイッチ
【図１】
2011221884.tif 000003
【図２】
2011221884.tif 000004
【図５】
2011221884.tif 000005
【図６】
2011221884.tif 000006
【図７】
2011221884.tif 000007
【図９】
2011221884.tif 000008
【図３】
2011221884.tif 000009
【図４】
2011221884.tif 000010
【図８】
2011221884.tif 000011